(57)【要約】【課題】塗料等の液体を可能な限り使い切ることができる容器を提供する。【解決手段】容器１は、薄手のポリエチレン等で形成された容器本体２と、この容器本体２が収容される容器支持体１３とから構成され、容器本体２の底部３は、胴部６から下方に向けて円周が徐々に小さくなる漏斗状の漏斗部４と、この漏斗部４の下端に連接された平坦な円形の最底部５とを有している。【選択図】図３
0003233490.tif 000002
【実用新案登録請求の範囲】
【請求項１】
開口部と底部とを有する可塑性の容器本体と、
前記容器本体が内側に収容される支持体本体の上端である環状の支持枠部に、前記開口部が外側に折り返されて取り付けられる容器支持体と、から構成され、
前記底部が、下方に向けて徐々に窄まっている、
ことを特徴とする容器。
【請求項２】
前記底部が、
下方に向けて円周が徐々に小さくなる漏斗部と、
前記漏斗部の下端に連接された平坦な最底部と、を有する、
ことを特徴とする請求項１に記載された容器。
【請求項３】
前記容器支持体が、
設置面に置かれる支持底部と、
前記支持底部から上方に伸びた前記支持体本体と、
前記支持枠部に形成された注ぎ口枠部と、を有し、
前記開口部が、
前記支持枠部の内側に配置される内側開口縁部と、
前記内側開口縁部の上端に連接されて折り返される外側開口縁部と、
前記内側開口縁部に形成されて前記注ぎ口枠部の内側に配置される内側注ぎ口部と、
前記外側開口縁部に形成されると共に前記内側注ぎ口部の上端に連接されて前記注ぎ口枠部の外側に配置される外側注ぎ口部と、を有する、
ことを特徴とする請求項１又は請求項２に記載された容器。
【考案の詳細な説明】
【技術分野】
【０００１】
本考案は、例えば塗料を混合する際に用いられる容器に関するものである。
【背景技術】
【０００２】
従来、複数の色調の塗料を混合する際に用いられる使い捨ての容器として、例えば、下記特許文献１に記載された塗料調合用使い捨て内容器（以下、「文献公知１発明」と記す。）がある。この文献公知１発明は、使い捨ての容器と、この容器を収容する受台とから構成され、容器に注ぎ口が形成されている。調合された塗料は、注ぎ口から塗料の噴霧装置に注がれ、噴霧装置によって噴霧される。
【先行技術文献】
【特許文献】
【０００３】
【特許文献１】実公昭５９−４９２２号公報
【考案の概要】
【考案が解決しようとする課題】
【０００４】
しかし、管付きのスプレーガン等が用いられる場合、上記した文献公知１発明では、塗料の水位が容器の底に近づくと、スプレーガンの管で塗料を吸い上げることができなくなり、塗料が残ってしまう。残った塗料は、時間が経過すると硬化するため、使うことができず、やむを得ず破棄されることになる。
【０００５】
本考案は、上記の実情に鑑みて提案されたものである。本考案は、塗料等の液体を可能な限り使い切ることができる容器の提供を目的とする。
【課題を解決するための手段】
【０００６】
上記目的を達成するために、本考案に係る容器は、開口部と底部とを有する可塑性の容器本体と、前記容器本体が内側に収容される支持体本体の上端である環状の支持枠部に、前記開口部が外側に折り返されて取り付けられる容器支持体と、から構成され、前記底部が、下方に向けて徐々に窄まっている、ことを特徴とする容器。
【０００７】
本考案に係る容器は、前記底部が、下方に向けて円周が徐々に小さくなる漏斗部と、前記漏斗部の下端に連接された平坦な最底部と、を有する、ことを特徴とする。
【０００８】
本考案に係る容器は、前記容器支持体が、設置面に置かれる支持底部と、前記支持底部から上方に伸びた前記支持体本体と、前記支持枠部に形成された注ぎ口枠部と、を有し、前記開口部が、前記支持枠部の内側に配置される内側開口縁部と、前記内側開口縁部の上端に連接されて折り返される外側開口縁部と、前記内側開口縁部に形成されて前記注ぎ口枠部の内側に配置される内側注ぎ口部と、前記外側開口縁部に形成されると共に前記内側注ぎ口部の上端に連接されて前記注ぎ口枠部の外側に配置される外側注ぎ口部と、を有する、ことを特徴とする。
【考案の効果】
【０００９】
本考案に係る容器は、開口部と底部とを有する可塑性の容器本体と、容器本体が内側に収容される支持体本体の上端である環状の支持枠部に、開口部が外側に折り返されて取り付けられる容器支持体とから構成され、底部が、下方に向けて徐々に窄まっている。この構成により、窄まった分だけ底部の面積が比較的小さくなる代わりに水位が高くなり、液体を管等で吸い上げるために必要な水位が担保される。したがって、本考案の容器によれば、液体を可能な限り使い切ることができる。また、容器支持体の支持枠部に、容器本体の開口部が折り返されて取り付けられるため、容器本体を容器支持体に堅固に取り付けることができる。
【００１０】
本考案に係る容器は、底部が、下方に向けて円周が徐々に小さくなる漏斗部と、漏斗部の下端に連接された平坦な最底部とを有している。したがって、最底部の深さが適度となり、液体を吸い上げるための管等が底部に届かなくなることが抑止される。また、最底部が平坦であるため、設置面等に置くことができる。
【００１１】
本考案に係る容器は、容器支持体が、設置面に置かれる支持底部と、支持底部から上方に伸びた支持体本体と、支持枠部に形成された注ぎ口枠部とを有し、開口部が、支持枠部の内側に配置される内側開口縁部と、内側開口縁部の上端に連接されて折り返される外側開口縁部と、内側開口縁部に形成されて注ぎ口枠部の内側に配置される内側注ぎ口部と、外側開口縁部に形成されると共に内側注ぎ口部の上端に連接されて注ぎ口枠部の外側に配置される外側注ぎ口部とを有している。容器本体に内側注ぎ口部及び外側注ぎ口部が形成され、この各注ぎ口部が、容器支持体の注ぎ口枠部に配置されるため、液体を充填式の噴霧装置や他の容器に注いで移すことができる。
【図面の簡単な説明】
【００１２】
【図１】本考案の実施形態に係る容器の分解斜視図である。
【図２】本考案の実施形態に係る容器であって、容器本体が容器支持体に取り付けられる過程が示された外観側面図である。
【図３】本考案の実施形態に係る容器であって、容器本体が容器支持体に取り付けられた状態が示された外観側面図である。
【考案を実施するための形態】
【００１３】
以下に、本考案の実施形態に係る容器を図面に基づいて説明する。図１は、本実施形態に係る容器１が、容器本体２と容器支持体１３とに分解された状態の外観が示され、図２は、容器本体２が容器支持体１３に取り付けられる過程が示され、図３は、容器１として、容器本体２が容器支持体１３に取り付けられた状態が示されている。
【００１４】
図１に示されているとおり、容器１は、塗料等の液体が収容される容器本体２と、この容器本体２が収容される容器支持体１３とから構成されている。容器本体２は、可塑性を有し、例えば、薄手のポリエチレンやポリプロピレン等のプラスチック製である。容器本体２は、ほぼ円筒状であり、底部３と、この底部３の縁に連接されて上方に伸びた胴部６と、この胴部６の上端が開口したことで容器本体２の上端部に形成された開口部７とを有している。底部３は、胴部６から下方に向けて徐々に窄まっている。具体的には、底部３は、胴部６から下方に向けて円周が徐々に小さくなる漏斗状の漏斗部４と、この漏斗部４の下端に連接された平坦な円盤状の最底部５とを有している（図２参照。）。
【００１５】
開口部７は、胴部６の上端に連接された環状の内側開口縁部８と、この内側開口縁部８の上端に連接された環状の外側開口縁部９と、内側開口縁部８及び外側開口縁部９に渡って形成された注ぎ口部１０とを有している。注ぎ口部１０は、内側開口縁部８に形成された内側注ぎ口部１１と、外側開口縁部９に形成されると共に内側注ぎ口部１１の上端に連接された外側注ぎ口部１２とから構成されている。内側注ぎ口部１１は、外側に向けて張り出し、上方に向かうにしたがって徐々に外側に向って傾斜している。外側注ぎ口部１２は、外側に向けて張り出し、下方に向かうにしたがって徐々に外側に向けて傾斜している。
【００１６】
容器支持体１３は、地面等の設置面に置かれる環状の支持底部１４と、この支持底部１４から上方に向けて伸びた支持体本体１６と、この支持体本体１６の上端に連接された環状の支持枠部１８と、支持底部１４と支持枠部１８とに渡って連接された把持部２０とを有している。支持底部１４の内側には、補強底部１５が形成されている。支持体本体１６は、複数の棒状部材１７によって構成されている。支持枠部１８は、注ぎ口枠部１９が形成されている。注ぎ口枠部１９は、外側に向けて張り出し、上方に向かうにしたがって徐々に外側に向って傾斜している。
【００１７】
図２に示されているとおり、容器本体２は、容器支持体１３の支持体本体１６の内側に収容される。具体的には、容器本体２の開口部７における内側開口縁部８が、容器支持体１３の支持枠部１８の内側に配置され、開口部７の内側注ぎ口部１１が、支持枠部１８の注ぎ口枠部１９の内側に配置される。開口部７の外側開口縁部９は、支持枠部１８よりも上方に張り出している。この状態で、図３に示されているとおり、外側開口縁部９が外側に折り返され、外側注ぎ口部１２が注ぎ口枠部１９の外側に配置される。支持枠部１８は、開口部７によって覆われ、容器本体２が、容器支持体１３に堅固に取り付けられる。
【００１８】
以上のとおり、本実施形態が構成されている。容器本体２には、塗料等が収容されて混合される。なお、本実施形態には、攪拌用の棒（図示省略。）や、容器本体２の開口部７に取り付けられる蓋（図示省略。）等が、別途備えられていてもよい。
【００１９】
次に、本実施形態の効果を説明する。
【００２０】
上記したとおり、本実施形態では、底部３が、胴部６から下方に向けて円周が徐々に小さくなる漏斗状の漏斗部４と、この漏斗部４の下端に連接された平坦な円盤状の最底部５とを有している。この構成により、窄まった分だけ底部３の面積が比較的小さくなる代わりに水位が高くなり、塗料を、例えばスプレーガン（図示省略。）の管等で吸い上げるために必要な水位が担保される。したがって、本実施形態によれば、塗料を可能な限り使い切ることができる。例えば、容器本体２の容量が４．５リットルであり、仮に、底部が漏斗部を有しない形状であった場合、水位３０ミリメートル以下の塗料を吸い上げることはできず、約４４６グラムの塗料が底部に残る。一方で、本実施形態では、底部３が漏斗状であるため、ほとんどの塗料を吸い上げることができるし、仮に、塗料が残ったとしても、約１４０グラム以下である。したがって、従来と比較して、少なくとも３０６グラムの塗料を、従来よりも多く使い切ることができる。
【００２１】
また、最底部５によって、容器本体２の深さが適度となり、塗料を吸い上げるための管等が底部３に届かなくなることが抑止される。また、最底部５が平坦であるため、設置面等に置くことができる。
【００２２】
本実施形態では、容器本体２の開口部７に注ぎ口部１０が形成され、開口部７が折り返されることで、注ぎ口部１０が容器支持体１３の注ぎ口枠部１９に覆われて配置されるため、塗料を充填式のスプレーガンや他の容器に注いで移すことができる。また、容器本体２を容器支持体１３に堅固に取り付けることができる。
【００２３】
なお、本考案に係る他の実施形態は、注ぎ口部及び注ぎ口枠部を有していない。他の実施形態は、最底部が、漏斗部と一体となって下方に向けて尖っている。他の実施形態は、容器本体の形状が、例えば、四角筒や多角筒である。他の実施形態は、把持部を有していない。他の実施形態は、支持体本体が、棒状部材ではない面状の器である。
【００２４】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。
【符号の説明】
【００２５】
１      容器
２      容器本体
３      底部
４      漏斗部
５      最底部
６      胴部
７      開口部
８      内側開口縁部
９      外側開口縁部
１０    注ぎ口部
１１    内側注ぎ口部
１２    外側注ぎ口部
１３    容器支持体
１４    支持底部
１５    補強底部
１６    支持体本体
１７    棒状部材
１８    支持枠部
１９    注ぎ口枠部
２０    把持部
【図１】
0003233490.tif 000003
【図２】
0003233490.tif 000004
【図３】
0003233490.tif 000005